(57)【要約】【課題】用紙綴じ装置において、針で穿孔した穴に糊を塗布するのでなく、薄板刃物で切断した切り口に糊を塗布することにより、綴じた用紙の外観を損なわず、また必要な力を著しく増大させることなく、十分な綴じ強度が得られるものとする。【解決手段】液状糊の容器３ａと、前記容器３ａ上に用紙４ａを保持する押え５ａと、移動可能な薄板刃物６ａより構成され、前記薄板刃物６ａが前記用紙４ａを貫通して、前記容器３ａ内の糊部分に達し、次いで、駆動桿７ａを上方の元の位置に戻すとき、薄板刃物６ａの周囲に付着した液状糊２ａが用紙４ａの切り口の内面に付着する構造。【選択図】  図１
2005059564.tif 000002
【特許請求の範囲】
【請求項１】
液状糊の容器と、前記容器上に用紙を保持する押えと、移動可能な薄板刃物より構成され、前記薄板刃物が前記用紙を貫通して前記容器内の糊部分に達し、次いで前記薄板刃物が復帰するときに前記用紙の切り口の内側に糊を塗布する用紙綴じ装置。
【請求項２】
薄板刃物の胴部に液体糊を蓄積する孔、溝、凹みなど凹部を有する構造の請求項１に記載する用紙綴じ装置。
【請求項３】
薄板刃物の上部周囲に弾性体を設けて、装置を使用しない時に前記薄板刃物を最下方位置に固定して液状糊の容器の栓とする構造の請求項１に記載する用紙綴じ装置。
【発明の詳細な説明】
【技術分野】
【０００１】  本発明は、糊を用いて複数枚の用紙を綴じる装置に関する。
【背景技術】
【０００２】  従来の用紙綴じ装置には、穿孔針の外周に付与された接着剤が、孔の形成と同時あるいは穿孔針の引き抜き時に用紙に移転されるものがある。（例えば、特許文献１参照）
【特許文献１】特開平７−１６４５８２号公報
【発明の開示】
【発明が解決しようとする課題】
【０００３】  従来の用紙綴じ装置では、用紙の穿孔に針（ニードル）を用いることから、穴の大きさが小さく、したがって穴の内周面に塗布される糊の量も少ないため、しばしば十分な綴じ強度が得られないという欠点があった。【０００４】  特に従来の用紙綴じ装置を用いて、１箇所の穴のみで用紙を綴じようとすれば、比較的小径の穴の周面で綴じられた用紙は、相互に捩じられるような外力に弱いために、２箇所あるいはそれ以上の個所を綴じる必要があった。【０００５】  従来の用紙綴じ装置において、穴の径を大きくして糊の塗布面積を増やし、綴じ強度を大きくしようとすれば、針の径を大きくしなくてはならないが、針による穿孔は、尖った先端で開けられた穴を径方向に押し広げて行われるために、針の径が大きくなれば、穿孔のために必要な力は著しく増大し、また穿孔された穴の周辺の用紙には不規則な破れや膨れを生じて、綴じた用紙の外観を損なう傾向があった。
【課題を解決するための手段】
【０００６】  本発明の用紙綴じ装置は、液状糊の容器と、前記容器上に用紙を保持する押えと、移動可能な薄板刃物より構成され、前記薄板刃物が前記用紙を貫通して前記容器内の糊部分に達し、次いで前記薄板刃物が復帰するときに前記用紙の切り口の内側に糊を塗布する構造のものである。
【発明の効果】
【０００７】  本発明の用紙綴じ装置は、針を使用した従来構造の装置に比較して、操作力の増大や綴じ部分の破れや膨れなどを生じることなく綴じ部分の糊の塗布面積を大きくすることができ、したがって綴じ強度が大きい用紙綴じ装置を提供するものである。
【発明を実施するための最良の形態】
【０００８】  本発明の用紙綴じ装置は、操作に必要な力が小さく、小型なものとすることができるので、日常の事務作業において文房具として利用できるよう、薄板刃物の移動を装置の一端に設けた軸回りの回転によって行う構造としたものが望ましいと考えられ、以下に本発明の実施例を各図面によって説明する。
【実施例１】
【０００９】  図１ないし図４は、本発明の用紙綴じ装置の実施例１の構造を示すものである。【００１０】  図１において、用紙綴じ装置１ａは、内部に液状糊２ａを蓄えた容器３ａ、容器３ａの上面との間で用紙（図１には示していない）を保持する押え５ａ、薄板刃物６ａを保持して上下方向に移動可能な駆動桿７ａ、駆動桿７ａを上方の待機位置に保持させるばね８ａなどを有している。【００１１】  なお、液状糊には、でんぷん、ＰＶＡＬ、アラビアゴム等を糊成分とするの水性のもの、ブタジエンゴ厶などを糊成分とする有機溶剤系のもの等がある。【００１２】  図２ないし図３は、図１に示す本発明の実施形態の用紙綴じ装置の操作を示す断面図である。【００１３】  図２において、重ねられた用紙４ａは、上方（矢印Ａで示す方向）に持ち上げられた押え５ａと、容器３ａの上面の間に挿入される。【００１４】  図３において、押え５ａと容器３ａの上面の間で保持された用紙４ａに対して、駆動桿７ａを下方（矢印Ｂで示す方向）に移動させると、薄板刃物６ａの先端部は用紙４ａを貫通して容器３ａの内部に蓄えられた液状糊２ａに浸される。【００１５】  次いで、駆動桿７ａを上方の元の位置に戻すとき、薄板刃物６ａの周囲に付着した液状糊２ａは、用紙４ａの切り口の内面に付着する。【００１６】  押え５ａで用紙４ａを押えた状態のまま、用紙４ａを引き抜けば、用紙４ａの切り口部分は糊によって綴じられた状態となる。【００１７】  用紙４ａの積層枚数が多い場合は、薄板刃物６ａを複数回往復させることにより、一層確実な接着を行うことができる。【００１８】  このように構成された本発明の用紙綴じ装置では、用紙の穿孔に針を用いる従来のものに比較して、糊の塗布面積が大きく、強度の高い接合を得ることができる。【００１９】  穿孔に針を用いる従来の用紙綴じ装置では、針の先端で用紙に穴をあけ、次いで穴を押し広げるために、糊の塗布面積を大きくする目的で針の径を大きくすると、穿孔のための力が著しく増大し、また用紙に穿孔された穴の周辺に不規則な破れや膨れを生じて、綴じた用紙の外観を損なう傾向があったが、本発明の用紙綴じ装置では、薄板刃物で用紙を切断するので、糊の塗布面積を大きくする目的で刃物の幅を広げても、薄板刃物を押し込むための力の増加は、刃物の幅の増大に比例した程度で済み、また用紙に不規則な破れや膨れを生じることもない。【００２０】  図４は、図１に示す本発明の実施形態の用紙綴じ装置の待機状態を示す断面図である。【００２１】  駆動桿７ａは、上部に止め溝９ａを有しており、駆動桿７ａを下方に押し込んだ位置でフック１０ａを矢印Ｃの方向に回転させて止め溝９ａに嵌合すれば、薄板刃物６ａの根元に取り付けた弾性体１１ａが容器３ａの穴部分を塞ぐ栓となった状態で固定され、使用しないときの液状糊の乾燥を防止する。
【実施例２】
【００２２】  図５は、本発明の実施形態の用紙綴じ装置に用いられる薄板刃物の別の形状を示す部分斜視図である。【００２３】  表面が平滑平面の薄板刃物６ａでは、表面に付着した糊が下方（容器３の側）に位置する用紙に拭き取られてしまい、上方（押え５ａの側）に位置する用紙の接着が不十分となる場合があるが、図５に示す薄板刃物６ｂは、胴部に小径穴１２ｂを有しており、糊はこの部分に蓄えられて、上方の用紙に対しても十分な量の糊を供給することができる。
【実施例３】
【００２４】  図６は、本発明の実施形態の用紙綴じ装置に用いられる薄板刃物のさらに別の形状を示す部分斜視図である。【００２５】  薄板刃物６ｃは、複数の溝１３ｃを有しており、この部分に糊を蓄えると同時に用紙の切り口を引っ掻くことによって、一層確実な糊の塗布を行うことができる。【００２６】  薄板刃物の表面には、穴や溝のほか、凹みを設ける、テーパー形状にするなどの構造とすることによって糊を蓄積させることができる。【００２７】  薄板刃物は、断面をＵあるいはＶ形とすることによって、曲げ剛性を大きくして、使用時に生じる曲げ変形を抑えることができる。
【実施例４】
【００２８】  図７は、本発明の用紙綴じ装置の別の実施形態を示す斜視図である。【００２９】  この用紙綴じ装置１ｄでは、薄板刃物６ｄを保持する駆動桿７ｄおよび押え５ｄは、共通の支軸１４ｄによって筐体１５ｄに取り付けられ、ばね８ｄによって開いた状態を保持する。【００３０】  薄板刃物６ｄは、支軸１４ｄの回転の半径方向を向いているので、穿孔時に薄板刃物に作用する曲げモーメントによる曲がりを生じにくい【００３１】  薄板刃物６ｄの取り付けをこのような方向とした場合は、薄板刃物の厚さを薄くできるので、操作に必要な力が小さくなり、同時に装置は小型なものとなるので、片手で操作可能とすることもできる。【００３２】  液状糊の容器３ｄは、筐体１５ｄに案内溝１６ｄで取り付けられているので、内部の糊が無くなれば、容易に新しいものと交換することができる。【００３３】  実施例１および実施例４として、薄板刃物の移動を装置の一端に設けた軸回りの回転によって行う構造として、手動操作するものを示したが、本発明の用紙綴じ装置を製本などのより多枚数の用紙に対して適用しようとする場合は、薄板刃物の移動を摺動案内による直線運動とし、駆動に電動機、油圧などの動力を用いたものとすることもできる。【００３４】  本発明による用紙綴じ装置に使用する液状糊として、加熱により液状としたホットメルト接着剤を用いれば、綴じ操作後に糊の乾燥固化を待たなくてもよいので用紙の綴じ作業を一層速やかに行うことができる。
【図面の簡単な説明】
【００３５】
【図１】本発明の実施例１の用紙綴じ装置の斜視図である。
【図２】図１の用紙綴じ装置で、用紙を所定位置に置いて、穿孔前の状態を示す断面図である。
【図３】図１の用紙綴じ装置で、薄板刃物を用紙に貫通させた状態を示す断面図である。
【図４】図１の用紙綴じ装置で、使用しない保管状態を示す断面図である。
【図５】本発明の実施例２の用紙綴じ装置の薄板刃物の部分拡大斜視図である。
【図６】本発明の実施例３の用紙綴じ装置の薄板刃物の部分拡大斜視図である。
【図７】本発明の実施例４の用紙綴じ装置の斜視図である。
【符号の説明】
【００３６】１ａ、１ｄ        用紙綴じ装置
２ａ              液状糊
３ａ、３ｄ        容器
４ａ              用紙
５ａ、５ｄ        押え
６ａ、６ｂ、６ｃ、６ｄ    薄板刃物
７ａ、７ｄ        駆動桿
１１ａ            弾性体
【図１】
2005059564.tif 000003
【図２】
2005059564.tif 000004
【図３】
2005059564.tif 000005
【図４】
2005059564.tif 000006
【図５】
2005059564.tif 000007
【図６】
2005059564.tif 000008
【図７】
2005059564.tif 000009